(57)【要約】【課題】  遊技領域に遊技媒体を投入する軌道を変化に富んだものとした遊技機を提供する。【解決手段】  発射装置１７から打ち出された遊技球４５を遊技領域４ａの上部まで導く通路２０が遊技領域４ａの左側に設けられ、通路２０の上端にある出口部２０ａには、軸部３０を回動自在に軸支された揺動片１３が設けられている。通路２０に導かれた遊技球４５は、揺動片１３の揺動位置によっては片部３１に衝突し、遊技領域４ａに投入される。遊技者が操作ボタン１２を押下すると、モータ制御装置４０に駆動制御されたモータ３６が駆動ギア３７及び従動ギア３５を介して軸部３０を左右に周期的に回転駆動し、揺動片１３を左右に揺動制御する。【選択図】        図５
2005224526.tif 000002
【特許請求の範囲】
【請求項１】
発射装置から発射された遊技媒体が流下する遊技領域、及び前記遊技媒体を前記遊技領域まで導く通路が設けられる遊技盤と、
前記遊技媒体が導かれる前記通路の出口部近傍に揺動自在に配設された揺動片と、
前記揺動片を揺動制御する揺動装置とを備え、揺動制御によって前記遊技媒体と前記揺動片が接触可能となることを特徴とする遊技機。
【請求項２】
前記揺動装置を作動させる操作部を備えたことを特徴とする請求項１記載の遊技機。
【発明の詳細な説明】
【技術分野】
【０００１】
本発明は、パチンコ店などの遊技場に設置して使用される弾球遊技機などの遊技機に関するものである。
【背景技術】
【０００２】
パチンコ店などの遊技場に設置して使用される遊技機として、パチンコ機と称される弾球遊技機がある。パチンコ機を構成する基体となる本体基部には、発射装置によって発射された遊技球などの遊技媒体が流下する遊技領域が形成された遊技盤が着脱自在に設けられている。さらに、遊技領域を視認させる窓部を備えた前面扉（扉部材）が本体基部に軸支されて、遊技盤の前方において開閉自在に設けられている。また、遊技盤の前面には、複数の入賞口や、遊技に基づいて作動する入賞装置や画像表示装置が配設され、後面には、これらの作動を遊技球が入賞口に入賞したことなどに基づいて制御する制御装置が配設されている。また、パチンコ機は、遊技盤上の特定の入賞口（始動口）に遊技球が入賞することを契機として抽選（乱数の抽出）を行い、抽選に当選した場合（抽出した乱数が所定の値と整合した場合）に「大当たり」と称される遊技者に有利な遊技状態に移行するものが多い。このようなパチンコ機は、遊技場に設置されている状態で、且つ前面扉が閉じられてロック状態となっているときには、何人も本体基部の内部に配設された遊技盤や制御装置などには触れることができないようになっている。
【０００３】
遊技領域は、遊技盤上に円弧状に配設された外側ガイドレール及び内側ガイドレールと呼ばれる２つの帯状の金属片で囲んだ遊技球の移動範囲を規制する領域に、釘等の障害物を配設することで形成されていることが多い。遊技領域には外側ガイドレール及び内側ガイドレールを互いに対峙した側壁とする通路が形成されており、遊技盤の下方に配設される発射装置から上方に打ち出された遊技球は、該通路によって遊技領域の上部まで導かれ、内側ガイドレールの上端近傍に設けた出口部から遊技領域に投入される。パチンコ機の前面下部には、遊技球の打ち出し開始または停止させる操作ハンドルが設けられ、遊技球が発射装置から打ち出される際の打ち出し強さは、操作ハンドルを回動操作した回動量に応じて変化するようになっている。
【発明の開示】
【発明が解決しようとする課題】
【０００４】
しかしながら、上記のような遊技機にあっては、外側ガイドレール及び内側ガイドレールを側壁とする通路によって遊技領域の上部まで導かれ、通路の出口部から遊技領域に遊技媒体を投入する軌道は、発射装置から打ち出される際の打ち出し強さのみに応じて変化するものであり、変化に乏しいものとなっていた。また、遊技領域に遊技媒体を投入する軌道を変化させるための操作は、発射装置の打ち出し強さを変化させる操作ハンドルを回動させる操作のみであり、遊技者にとって単調なものとなっていた。
【０００５】
本発明は、遊技領域に遊技媒体を投入する軌道を変化に富んだものとした遊技機を提供することを目的とする。
【課題を解決するための手段】
【０００６】
本発明の遊技機は、発射装置から発射された遊技媒体が流下する遊技領域、及び前記遊技媒体を前記遊技領域まで導く通路が設けられる遊技盤と、前記遊技媒体が導かれる前記通路の出口部近傍に揺動自在に配設された揺動片と、前記揺動片を揺動制御する揺動装置とを備え、揺動制御によって前記遊技媒体と前記揺動片が接触可能となることを特徴とするものである。
【０００７】
また、前記揺動装置を作動させる操作部を備えることが好適である。
【発明の効果】
【０００８】
本発明の遊技機は、発射装置から発射された遊技媒体が流下する遊技領域、及び遊技媒体を遊技領域まで導く通路が設けられる遊技盤と、遊技媒体が導かれる通路の出口部近傍に揺動自在に配設された揺動片と、揺動片を揺動制御する揺動装置とを備え、揺動制御によって遊技媒体と揺動片が接触可能となるので、通路を経て遊技領域に遊技媒体を投入する軌道は、発射装置による遊技媒体の打ち出し強さと、揺動装置による揺動片の揺動した位置とに応じて変化するので、遊技領域に遊技媒体を投入する軌道を変化に富んだものとすることができる。さらには、遊技領域に遊技媒体を投入する軌道を変化させることによって、遊技領域を流下する遊技媒体の経路が変化するので、入賞させるための経路のバリエーションが増し、遊技性や攻略性を高めることができる。
【０００９】
また、揺動装置を作動させる操作部を備えることで、遊技領域に遊技媒体を投入する軌道が、操作部を操作したことに応じて変化するので、遊技者に操作部を操作する興趣を提供することができる。
【発明を実施するための最良の形態】
【００１０】
図１に、本発明を用いたパチンコ機の外観を示す。パチンコ機（遊技機）２は、基体となる本体基部３に、遊技球が流下する遊技領域４ａ（図２に図示）が形成された遊技盤４が装着されており、そして上部扉５及び下部扉６からなる前面扉７が本体基部３に対して回動自在となるように、図示しないヒンジ部に軸支されている。上部扉５の中央には開口５ａが設けられており、この開口５ａは上部扉５の裏側に組み付けられるガラス８等の透光性を有する部材により遮蔽される。なお、上部扉５が閉じている状態では、遊技の際に遊技領域４ａを流下する遊技球や、遊技領域４ａに設けられた入賞装置等は、上記開口５ａを遮蔽するガラス８を介して視認される。
【００１１】
下部扉６には、供給皿９、操作ハンドル１０が設けられる。供給皿９には、遊技を開始する際に遊技者に貸し出される遊技球が供給される他に、遊技領域４ａを流下する遊技球が遊技領域４ａに設けられた入賞口のいずれかに入賞したことを受けて、払い出し口１１を介して払い出される賞球としての遊技球が受容される。下部扉６の前面であって操作ハンドル１０の上方には遊技者が任意に押下することのできる操作ボタン（操作部）１２が設けられており、後述するように揺動片１３を揺動させる際に押下される。
【００１２】
操作ハンドル１０は、遊技を行う際に操作されて回動するものであり、この操作ハンドル１０の内部に設けられた打ち出し用ボリューム１５（図５に図示）の出力値が変化することを受けて、発射制御装置１６（図５に図示）が発射装置１７の遊技球を打ち出す強さを制御する。なお、操作ハンドル１０を操作しない場合には、操作ハンドル１０は、発射装置１７における遊技球の打ち出しを行わない初期位置に位置する。
【００１３】
図２に示すように、遊技盤４の前面には帯状の金属片を円弧状に配置した外側ガイドレール１８や内側ガイドレール１９等によって囲まれた遊技領域４ａが形成されている。遊技領域４ａの左側であって発射装置１７の上方には、外側ガイドレール１８及び内側ガイドレール１９をそれぞれ側壁とする通路２０が形成されている。発射装置１７から打ち出された遊技球は通路２０の下端から外側ガイドレール１８と内側ガイドレール１９との間に入り、遊技領域４ａの上部に導かれ、通路２０の上端にある出口部２０ａから遊技領域４ａに投入される。通路２０の出口部２０ａ近傍には、揺動片１３が揺動自在に配設されている。この遊技領域４ａには、図示しない障害釘や風車の他に、始動入賞口を備えたスタートチャッカー２１、通常入賞口を備えた入賞チャッカー２２等の入賞装置が設けられる。また、遊技領域４ａには、アタッカ２３と呼ばれる開閉式の入賞装置が設けられ、このアタッカ２３が開放されると、大入賞口が露呈される。なお、遊技球は、上記障害釘や風車に弾かれるか、センター役物２４の側壁面等に弾かれて遊技領域４ａを流下し、上記入賞口のいずれかに入賞するか、アウト口２５によって回収される。なお、出口部２０ａ近傍とは、図５に一点鎖線で示すように出口部２０ａに対する位置であり、通路２０の内外のいずれであっても良い。
【００１４】
図３及び図４に示すように、揺動片１３は、円柱状の軸部３０と、軸部３０の側面に固着された板状の片部３１とから構成されている。軸部３０は、通路２０の出口部２０ａの左側に設けられた軸受け３４によって回動自在に軸支されている。軸部３０の後方端部には、従動ギア３５が固着されている。遊技盤４の後側には、モータ３６及び駆動ギア３７で構成された揺動装置３８が配設されている。駆動ギア３７は、モータ３６の駆動軸３６ａに固着されており、従動ギア３５と噛み合っている。モータ３６が駆動ギア３７及び従動ギア３５を介して軸部３０を左右に回転駆動することによって、揺動片１３は軸部３０を回動軸として揺動制御される。揺動片１３が揺動して位置が変化することによって、片部３１は、通路２０に導かれた遊技球と接触し得る位置となる。
【００１５】
モータ３６は、パチンコ機２の内部に設けられたモータ制御装置４０によって駆動制御されており、モータ制御装置４０は、モータ３６の回転開始、回転停止、回転方向の反転等の駆動制御を行う。操作ボタン１２が押下されると操作信号がモータ制御装置４０に入力されるようになっており、モータ制御装置４０は、操作ボタン１２が押下されて操作信号が入力されている間、モータ３６を回転させ、また、所定の周期で回転方向を反転させる。
【００１６】
上記のように構成されたパチンコ機の作用について説明する。図５に示すように、揺動片１３は、軸部３０を回動軸として回動自在に軸支されて通路２０の出口部２０ａ近傍に配設されている。遊技者が操作ハンドル１０を回動操作すると打ち出し用ボリューム１５の出力値が変化し、該変化を受けた発射制御装置１６が、通路２０の下方に配設された発射装置１７に打ち出し用ボリューム１５の出力値に応じた打ち出し強さで遊技球４５を上方に打ち出させる。発射装置１７によって打ち出された遊技球４５は、通路２０の下端から外側ガイドレール１８と内側ガイドレール１９との間に入り、遊技領域４ａの上部まで導かれ、通路２０の出口部２０ａ近傍に配設された揺動自在な揺動片１３の変位した位置によっては片部３１に衝突し、遊技領域４ａに投入される。遊技者が操作ボタン１２を押下している期間、モータ３６が軸部３０を左右に周期的に回転駆動し、揺動片１３は、図中実線で示した位置と図中二点鎖線で示した位置の間で揺動し、操作ボタン１２の押下が終了するとモータ３６は停止し、揺動片１３も停止する。通路２０によって導かれた遊技球４５が揺動片１３に衝突する角度は揺動片１３の変位した位置によって変化し、遊技球４５が飛び跳ねる方向も変化する。これにより、通路２０の出口部２０ａから遊技領域４ａに遊技球を投入する軌道は、発射装置１７による遊技球の打ち出し強さと、揺動制御して任意に変位させた揺動片１３の位置によって決まるので、変化に富んだものとなる。なお、本実施形態では揺動片１３を初期位置に戻す制御を行っていないが、例えば、操作ハンドル１０に設けられたタッチセンサの検知なし状態が基準時間以上経過すること、またはパチンコ機２に設けられたリセットボタンの押下されることに応じて、揺動片１３を初期位置状態に戻す揺動制御が、モータ制御装置４０によって行われるようにしても良い。
【００１７】
上記実施形態では、揺動装置３８をモータ３６及び駆動ギア３７で構成し、軸部３０を駆動することによって揺動片１３を揺動制御していたが、揺動装置の構成はこれに限られず、例えば直動を回動に変化させるリンク機構等を用いて、ソレノイド等の直動によって揺動片１３の軸部３０を回動させるなど、適宜の構成として良い。
【００１８】
上記実施形態では、揺動装置３８は、操作ボタン１２が操作されることに応じて揺動片１３を揺動制御していたが、揺動装置３８が作動する条件はこれに限られず、例えば、入賞装置に遊技球が入賞するといった遊技状態の変化に基づいて揺動片１３を所定期間、特定の位置に変位するように揺動制御するなど、適宜の条件を設定して良い。なお、この場合の特定の位置は、入賞する確率が高まる軌道で遊技球が遊技領域に投入されるようにし、遊技者にとって有利となる状態をアシストする位置とすると好適である。
【００１９】
上記実施形態では、揺動装置３８を作動させる操作部として、下部扉６の前面であって操作ハンドル１０の上方に操作ボタン１２を設けたが、操作部の形態はこれに限られず、例えば、操作ハンドル１０の所定部位に設けたスライドスイッチとするなど、遊技者が任意に操作できるものであれば適宜の形態を用いて良い。
【図面の簡単な説明】
【００２０】
【図１】本発明を実施したパチンコ機の外観を示す斜視図である。
【図２】図１に示したパチンコ機の前面扉を開放した状態の外観を示す斜視図である。
【図３】揺動装置と揺動片との関係を示す斜視図である。
【図４】揺動装置と揺動片との関係を示す断面図である。
【図５】遊技領域を示す正面図である。
【符号の説明】
【００２１】
２  パチンコ機（遊技機）
４  遊技盤
４ａ  遊技領域
１２  操作ボタン（操作部）
１３  揺動片
１７  発射装置
１８  外側ガイドレール
１９  内側ガイドレール
２０  通路
３８  揺動装置
【図１】
2005224526.tif 000003
【図２】
2005224526.tif 000004
【図３】
2005224526.tif 000005
【図４】
2005224526.tif 000006
【図５】
2005224526.tif 000007